(57)【特許請求の範囲】
【請求項１】
外郭を構成する本体と、前記本体の上面に設けた被加熱物を載置するトッププレートと、前記トッププレートの下方に設けられ前記被加熱物を誘導加熱する加熱コイルと、前記加熱コイルの少なくとも内周に鉛直に設けかつ前記加熱コイルの下方を支持し前記加熱コイルからの磁束の漏洩を防止する磁性体と、前記加熱コイルの下方に設けられ前記トッププレート上に光により図形を表示する発光手段と、前記加熱コイル中心部に設けられ前記被加熱物又は前記トッププレートの温度を検知する温度検知手段とを備え、前記発光手段と前記加熱コイルとの間及び前記温度検知手段と前記加熱コイルとの間に前記磁性体を介在させる構成とした誘導加熱調理器。
【発明の詳細な説明】
【０００１】
【発明の属する技術分野】
本発明は誘導加熱調理器に関し、特にトッププレートを照射する発光体またはトッププレートの温度を測定する温度センサに関する。
【０００２】
【従来の技術】
従来、この種の誘導加熱調理器としては特開２００１―１６０４８３号公報に記載されているようなものがあった。図５は前記公報に記載された従来の誘導加熱調理器の断面図を示したものである。
【０００３】
図５において、１０１は誘導加熱調理器の外郭を構成する本体であり、１０２は本体１０１の上部に載置されたトッププレートであり、その上部に鍋などの被加熱物１０３が載置される。１０４はトッププレート１０２の下部に設けられ被加熱物１０３を誘導加熱する加熱コイルである。１０５は加熱コイル１０５の下部に設けられた発光体であり、その中心部に設けた光源１０６と、その光を入力し導光してその端部より光をトッププレート１０２に向かって放射する導光体１０７とより構成されている。１０８はトッププレート１０２の下面に当接し、被加熱物１０３の温度を間接的に測定する温度センサである。また、１０９は操作部（図示せず）および温度センサ１０８等からの信号により加熱コイル１０４および光源１０６等を制御する制御部である。また、図６は発光体１０５の斜視図であり、扇状の導光体片１０７ａと扇状の要に設けた光源１０６とで発光体１０５の１ブロックとし、これらのブロックを組合わせて円環状の導光体を構成している。
【０００４】
前記構成において電源が投入されると、加熱コイルに高周波電流が流れ被加熱物１０３が加熱されるとともに、光源６が点灯し、円環状の導光体の外周部発光面１０７ｂが発光し、その光によってトッププレート１０２上に円環状の模様を描くことにより加熱コイル１０４の加熱領域が明示される。これにより、被加熱物１０３を正しい位置に置くことができる。また、温度センサ１０８が被加熱物１０３の温度を検知して加熱コイルの出力を制御することにより、適切に調理することができるというものであった。
【０００５】
【発明が解決しようとする課題】
しかしながら、前記従来の構成で、鉄鍋のように２０〜３０ｋＨｚの高周波電流を流して被加熱物１０３を加熱する場合は、発生する磁界により発光体１０５や温度センサ１０８が漏洩磁束の影響を受けないようにすることが比較的簡単にできたため、あまり問題にならなかったが、透磁率の低い銅鍋やアルミニウム鍋などを加熱する場合は、４０〜１００ｋＨｚの高周波電流を加熱コイル１０４に流さねばならず、このときに発生する磁界により発光体１０５や温度センサ１０８が漏洩磁束の影響を受け安定した発光や検知ができないという問題があり、このような高周波では発光体や温度センサは用いられていなかった。
【０００６】
本発明は、前記従来の課題を解決するもので、発光体や温度センサが加熱コイルに流れる高周波電流の影響を受け難くした誘導加熱調理器を提供することを目的とする。
【０００７】
【課題を解決するための手段】
前記従来の課題を解決するために、本発明の誘導加熱調理器は加熱コイルと発光手段との間に磁性体を介在させる構成とした。この構成により、発光手段は加熱コイルに高周波電流を流したときに発生する磁束の影響を受け難くすることができる。
【０００８】
また、温度検知手段と加熱コイルとの間に磁性体を介在させる構成とした。この構成により、温度センサは漏洩磁束の影響を受け難くなり安定した温度検知をすることができる。
【０００９】
【発明の実施の形態】
請求項１に記載の発明は、外郭を構成する本体と、前記本体の上面に設けた被加熱物を載置するトッププレートと、前記トッププレートの下方に設けられ前記被加熱物を誘導加熱する加熱コイルと、前記加熱コイルの少なくとも内周に鉛直に設けかつ前記加熱コイルの下方を支持し前記加熱コイルからの磁束の漏洩を防止する磁性体と、前記加熱コイルの下方に設けられ前記トッププレート上に光により図形を表示する発光手段と、前記加熱コイル中心部に設けられ前記被加熱物又は前記トッププレートの温度を検知する温度検知手段とを備え、前記発光手段と前記加熱コイルとの間及び前記温度検知手段と前記加熱コイルとの間に前記磁性体を介在させる構成とした。この構成により、加熱コイルに高周波電流を流したときに発生する磁束が発光手段の方向に漏れるのを防ぐことができる。したがって、トッププレート上に安定した図形を表示することができる。
【００１０】
また、温度センサは漏洩磁束の影響を受け難くなり安定した温度検知をすることができる。
【００１１】
また、磁束が加熱コイルの側面および下方に漏洩するのを防ぐことができ、発光手段、温度センサあるいは電子部品を安定して動作させることができる。
【００１２】
【実施例】
以下、本発明の実施例について、図面を参照しながら説明する。
【００１３】
（実施例１）
図１は本発明の実施例１における誘導加熱調理器の要部断面図であり、図２は同誘導加熱調理器の外観斜視図である。なお、本発明の加熱コイル部の構成を用いた誘導加熱調理器の一例として、３箇所の加熱部、いわゆる３口のコンロ部を有する誘導加熱調理器について説明する。
【００１４】
図２において、誘導加熱調理器本体１の上面にトッププレート２が設けられている。このトッププレート２には誘導加熱によって鍋を加熱し被調理物を加熱する誘導加熱部３ａ、３ｂと誘導加熱では使えない鍋を用いて調理するラジエントヒータ部４とが設けられている。また、誘導加熱調理器の外郭を構成する本体１の前方側面には焙焼器５と操作部６とが設けられている。なお、本発明ではこの誘導加熱部３ａ、３ｂの少なくともどちらか一方に本発明の加熱コイル部の構成を用いている。
【００１５】
図１において、トッププレート２上の誘導加熱部３ａ、３ｂのどちらか一方の本発明の構成が採用されている方に被加熱物７が載置されている。そして、被加熱部７に対応するトッププレート２の下方に加熱コイル部８が設けられている。加熱コイル部８は加熱コイル装置９と、この加熱コイル装置９を支持するために保持板１０上に設けた弾性体１１と、弾性体１１とトッププレート２との間に設けた緩衝体１２とにより構成されている。また、加熱コイル装置９は誘導加熱を行う加熱コイル１３と加熱コイル１３を支持し磁束の漏洩を防ぐ磁性体１４とを内蔵している。また、磁性体１４の周囲には光を照射しトッププレート２上に光による図形を描く発光手段である発光体装置１５が設けられている。この発光体装置１５は電球や発光ダイオード（ＬＥＤ）等からなる発光体１６と、光を導光する導光板１７と発光体、導光体や配線を保持する磁性体１４の下方に設けた基板１８とから構成されている。
【００１６】
前記構成において、弾性体１１はばね性の弾性体からなり、バネの付勢力により加熱コイル装置９をトッププレート２の下部に圧接している。このとき、トッププレート２と弾性体１１との間にゴムなどからなる緩衝体１２を設け、加熱コイルに高周波電流を流したときに発生する振動がトッププレート２に伝わり難くしている。このほか、加熱コイル装置９とトッププレート２との固定は接着剤で固着したり、外力により固定したりするなどの方法があるが、いずれの場合も振動がトッププレート２に伝達されやすくなるので注意する必要がある。
【００１７】
このように加熱コイル装置９をトッププレート２に固定することにより加熱コイル１３と被加熱物７との距離を一定に保つことができるようになり、加熱コイル１３で発生した磁束を効率よく被加熱物７に入れることができる。
【００１８】
次に、加熱コイル１３と磁性体１４との関係を図３の斜視図を用いて説明する。図３に示すように磁性体１４は加熱コイル１３の内周および外周に鉛直に設けられた部分と加熱コイルの下方に設けられた部分とが一体となって構成され加熱コイル１３を保持固定している。この構成により磁束が下方や側方に漏洩することを防ぐことができ、操作部６に設けた電子部品への悪影響を防ぐことができるとともに、効率よく被加熱物７を加熱することができる。なお、本実施例では、磁性体１４の一部をコイルの内外周に鉛直に立設しているが、これに限定されるものではなく、漏洩防止効果は若干低下するが内外周のどちらか一方であってもよい。特に本実施例のように発光体装置１５を用いる場合、発光体装置１５が漏洩磁束の影響を受けないようにするために加熱コイル１３と発光体装置１５との間に必ず磁性体を設ける必要がある。また、磁性体としては一般にフェライトが用いられ、加熱コイル装置９に接着剤で接着固定されるか、成型時に熱融着により取付けるなどの方法により固定される。
【００１９】
また、発光体装置１５は導光板から照射した光によりトッププレート２上に光による図形を描き加熱コイルの位置を使用者が容易に認識できるようにしたものである。これにより使用者は被加熱物を適切な位置に置くことができる。発光手段はこのような目的のために用いられるものであるから、本実施例の構成に限定されるものではなく、従来例の図６で示したような導光体片を組合わせて円環状に発光する発光体装置としてもいいし、円環状にしたチューブの一部に光源からの光を取り入れ、トッププレートに向かって照射するようにしても良い。
【００２０】
以上のように構成された誘導加熱調理器について、以下、その作用効果について説明する。
【００２１】
電源が投入され加熱コイル１３に高周波電流が流れると、被加熱物７に磁束が入り被加熱物７が加熱される。このとき、加熱コイル１３は弾性体１１により被加熱物７との距離がほぼ一定であるため、被加熱物７には常にほぼ一定量の磁束が入り、効率よく加熱される。また、加熱コイル１３の側面および底面に磁性体１４を設けているので、下方および側面への磁束の漏洩が少なくなり加熱効率を高めるとともに、電子部品への悪影響を防ぐことができる。
【００２２】
また、発光体１６は点灯し、その光は導光板１７を導光し、その上面よりトッププレート２に向かって光照射し、トッププレート上に模様を描く。これにより加熱コイル１３の位置が明確にされる。このとき、発光体１６および導光板１７と加熱コイル１３との間には磁性体１４が設けられているので、発光体１６は漏洩磁束の影響をほとんど受けず、安定した発光をすることができる。
【００２３】
なお、このような効果は、透磁力の低い銅鍋やアルミニウム鍋等を加熱するために４０〜１００ｋＨｚという高周波電流を流すとき特に顕著となる。
【００２４】
なお、本発明の主旨は加熱コイルと発光手段との間に磁性体を設け、加熱コイルに高周波電流を流したときに発生する磁束が漏洩し発光手段に悪影響を与えないようにすることを目的としたものであり、この主旨にかなう構成であれば前記構成に限定されないのは勿論である。
【００２５】
（実施例２）
図３は本発明の実施例２における誘導加熱調理器の要部断面図である。なお、本実施例の基本的構成は実施例１と同様であるのでその説明を省略し相違点を中心に説明する。また同じ構成には同じ符号を付しその説明を省略する。
【００２６】
図４において、温度検知手段としての温度センサ装置１９が加熱コイル１３の中心部に設けられている。温度センサ装置１９は温度センサ２０と圧接ばね２１とから構成され、温度センサ２０は圧接ばね２１の付勢力によりトッププレート２に当接する構成になっている。このとき、温度センサ装置１９と加熱コイル１３との間には磁性体１４が設けられている。すなわち、磁性体１４の底部から鉛直に設けた部分が温度センサ装置１９と加熱コイル１３との間に介在する形になっている。これにより温度センサ２０は漏洩磁束の影響をほとんど受けることなく正確に被加熱物の温度を検知することができる。
【００２７】
なお、このような効果は、透磁力の低い銅鍋やアルミニウム鍋等を加熱するために４０〜１００ｋＨｚという高周波電流を流すときに特に顕著となる。
【００２８】
また、実施例１と同様に温度検知手段としては前記構成に限定されるものではなく、本発明の主旨にかなう構成であれば他の構成であっても良いのは勿論である。
【００２９】
また、実施例１および２では、３口のコンロ部を有する誘導加熱調理器について説明したが、勿論コンロ部の数はこれに限定されるものではない。
【００３０】
【発明の効果】
以上のように、本発明によれば、発光体や温度センサが加熱コイルに流れる高周波電流の影響を受け難くすることができる。
【図面の簡単な説明】
【図１】  本発明の実施例１における誘導加熱調理器の要部断面図
【図２】  同誘導加熱調理器の外観斜視図
【図３】  同誘導加熱調理器の加熱コイルと磁性体との関係を示す図
【図４】  本発明の実施例２における誘導加熱調理器の要部断面図
【図５】  従来の誘導加熱調理器の要部断面図
【図６】  従来の誘導加熱調理器の発光体の斜視図
【符号の説明】
１  本体
２  トッププレート
７  被加熱物
１３  加熱コイル
１４  磁性体
１５  発光体装置（発光手段）
１９  温度センサ装置（温度検知手段）
【図１】
0003893946.tif 000002
【図２】
0003893946.tif 000003
【図３】
0003893946.tif 000004
【図４】
0003893946.tif 000005
【図５】
0003893946.tif 000006
【図６】
0003893946.tif 000007